(57)【要約】【課題】電池と、ブザーまたはベルと、火災センサとを有し、随時随所に使用することができる火災警報装置を提供する。【解決手段】火災警報装置の本体として、複数の本体１が使用されており、且つ火災センサＫ１，Ｋ２が各本体１に設けられ、さらにその電池およびブザーまたはベルに接続されているうえに、接続端子Ｃ１，Ｃ２が各本体１に設けられ、且つその火災センサＫ１，Ｋ２に接続され、さらに接続電線Ｄによって各本体１の接続端子Ｃ１，Ｃ２が接続されている。【選択図】図１
2007220094.tif 000002
【特許請求の範囲】
【請求項１】
ポータブルの複数の本体と、
前記各本体に内蔵された電池と、
前記各本体に内蔵されたブザーまたはベルと、
前記各本体に設けられ、その電池およびブザーまたはベルに接続された火災センサと、
前記各本体に設けられ、その火災センサに接続された接続端子と、
前記各本体の接続端子を接続する接続電線とからなり、
火災が発生したとき、その熱によって前記火災センサが動作し、電流が前記電池から供給され、前記火災センサを通り、前記各本体において、前記電流が前記ブザーまたはベルに流れ、前記電流によって前記ブザーまたはベルが鳴るようにしたことを特徴とする火災警報装置。
【請求項２】
前記火災センサは形状記憶合金または形状記憶樹脂体および電線からなり、前記形状記憶合金または形状記憶樹脂体はコイル状のもので、対の電線のまわりに巻き付けられ、前記本体から突出し、前記対の電線が前記電池および前記ブザーまたはベルに接続されており、火災の熱によって前記形状記憶合金または形状記憶樹脂体が形状復元し、前記形状記憶合金または形状記憶樹脂体によって前記対の電線が締め付けられ、その導体が接触し、前記電流が前記ブザーまたはベルに流れるようにしたことを特徴とする請求項１に記載の火災警報装置。
【請求項３】
防犯警報装置であり、防犯スイッチが前記各本体に内蔵され、その電池およびブザーまたはベルに接続され、ピンが前記各本体に差し込まれ、その防犯スイッチに係合し、前記ピンが引き抜かれたとき、前記ピンによって前記防犯スイッチが動作し、電流が前記電池から供給され、前記防犯スイッチを通り、前記各本体において、前記電流が前記ブザーまたはベルに流れ、前記電流によって前記ブザーまたはベルが鳴るようにしたことを特徴とする請求項２に記載の火災警報装置。
【請求項４】
さらに、押しボタンスイッチが前記電池および前記ブザーまたはベルに接続され、前記押しボタンスイッチが操作されたとき、電流が前記電池から供給され、前記押しボタンスイッチを通り、前記各本体において、前記電流が前記ブザーまたはベルに流れ、前記電流によって前記ブザーまたはベルが鳴るようにしたことを特徴とする請求項３に記載の火災警報装置。
【請求項５】
前記本体は掌よりも小さく、掌握することができる大きさであることを特徴とする請求項１〜４のいずれかに記載の火災警報装置。
【発明の詳細な説明】
【技術分野】
【０００１】
この発明は、火災警報装置に関するものである。
【背景技術】
【０００２】
特開２０００−０３６４８８号公報（特許文献１）に記載されているように、火災警報装置は火災センサを有し、天井面に取り付けられ、固定される。そして、火災が発生したとき、その熱または煙によって火災センサが動作し、電流がブザーに流れ、電流によってブザーが鳴る。
【０００３】
ところで、これまで、火災警報装置は固定式のものに限られていた。そして、それが天井面に取り付けられ、固定されるものであるが、この場合、当然のことではあるが、火災警報装置を随時随所に使用することはできない。火災警報装置の固定位置において、火災が発生したとき、ブザーによって火災が警報され、それに的確に対処することができるにすぎない。
【０００４】
一方、特開２０００−０２０８３５号公報（特許文献２）に記載されているように、防犯警報装置としてポータブル式のものが使用されている。同公報の警報装置では、電池およびブザーが本体に内蔵される。本体は掌よりも小さく、掌握することができる大きさであり、ポータブルである。さらに、防犯スイッチが本体に内蔵され、電池およびブザーに接続され、ピンが本体に差し込まれ、防犯スイッチに係合し、ひもがピンに取り付けられる。したがって、ひもによってピンが引き抜かれたとき、ピンによって防犯スイッチが動作し、電流が電池から供給され、防犯スイッチを通り、ブザーに流れ、電流によってブザーが鳴る。
【０００５】
この発明は、ポータブル式防犯警報装置に着眼してなされたもので、随時随所に使用することができる火災警報装置を提供することを目的とする。
【０００６】
さらに、この発明は、火災が発生したとき、離れた複数の場所で警報がなされる火災警報装置を提供することを目的とする。
【特許文献１】特開２０００−０３６４８８号公報
【特許文献２】特開２０００−０２０８３５号公報
【発明の開示】
【０００７】
この発明によれば、火災警報装置の本体として複数の本体が使用され、電池およびブザーまたはベルが各本体に内蔵される。本体はポータブルである。さらに、火災センサが各本体に設けられ、その電池およびブザーまたはベルに接続され、接続端子が各本体に設けられ、その火災センサに接続され、接続電線によって各本体の接続端子が接続される。したがって、火災が発生したとき、その熱によって火災センサが動作し、電流が電池から供給され、火災センサを通り、各本体において、電流がブザーまたはベルに流れ、電流によってブザーまたはベルが鳴る。
【０００８】
好ましい実施例では、火災センサは形状記憶合金または形状記憶樹脂体および電線からなり、形状記憶合金または形状記憶樹脂体はコイル状のもので、対の電線のまわりに巻き付けられ、本体から突出する。そして、対の電線が電池およびブザーまたはベルに接続され、火災の熱によって形状記憶合金または形状記憶樹脂体が形状復元し、形状記憶合金または形状記憶樹脂体によって対の電線が締め付けられ、その導体が接触し、電流がブザーまたはベルに流れる。
【０００９】
さらに、火災警報装置は防犯警報装置である。そして、防犯スイッチが各本体に内蔵され、その電池およびブザーまたはベルに接続され、ピンが各本体に差し込まれ、その防犯スイッチに係合する。したがって、ピンが引き抜かれたとき、ピンによって防犯スイッチが動作し、電流が電池から供給され、防犯スイッチを通り、各本体において、電流がブザーまたはベルに流れ、電流によってブザーまたはベルが鳴る。
【００１０】
さらに、押しボタンスイッチが電池およびブザーまたはベルに接続される。そして、押しボタンスイッチが操作されたとき、電流が電池から供給され、押しボタンスイッチを通り、各本体において、電流がブザーまたはベルに流れ、電流によってブザーまたはベルが鳴る。
【発明を実施するための最良の形態】
【００１１】
以下、この発明の実施例を説明する。
【００１２】
図１はこの発明にかかる装置を示す。この装置はポータブル式火災警報装置であり、複数の本体１を有する。本体１は掌よりも小さく、掌握することができる大きさであり、ポータブルである。この実施例では、２つの本体１が互いに組み合わされ、図２に示すように、電池Ｅ１，Ｅ２およびブザーＢ１，Ｂ２が各本体１に内蔵されている。さらに、火災センサＫ１，Ｋ２が各本体１に設けられ、その電池Ｅ１，Ｅ２およびブザーＢ１，Ｂ２に接続され、接続端子Ｃ１，Ｃ２が各本体１に設けられ、その火災センサＫ１，Ｋ２に接続され、接続電線Ｄによって各本体１の接続端子Ｃ１，Ｃ２が接続されている。
【００１３】
したがって、火災が発生したとき、たとえば、一方の本体１において、火災の熱によって火災センサＫ１が動作し、電流が電池Ｅ１から供給され、火災センサＫ１を通り、ブザーＢ１に流れ、電流によってブザーＢ１が鳴る。これと同時に、電流が接続端子Ｃ１，Ｃ２および接続電線Ｄを通り、他方の本体１において、電流がブザーＢ２に流れ、電流によってブザーＢ２が鳴る。反対に、他方の本体１において、火災の熱によって火災センサＫ２が動作すると、電流が電池Ｅ２から供給され、火災センサＫ２を通り、ブザーＢ２に流れ、電流によってブザーＢ２が鳴る。これと同時に、電流が接続端子Ｃ１，Ｃ２および接続電線Ｄを通り、一方の本体１において、電流がブザーＢ１に流れ、電流によってブザーＢ１が鳴る。したがって、いずれにしても、各本体１において、電流がブザーＢ１，Ｂ２に流れ、電流によってブザーＢ１，Ｂ２が鳴るものである。
【００１４】
さらに、火災センサＫ１，Ｋ２は形状記憶合金体２および電線３からなり、形状記憶合金体２はコイル状のもので、対の電線３のまわりに巻き付けられており、本体１から突出する。電線３は可溶絶縁電線であり、導体を有し、導体は可溶絶縁体に収容されている。そして、対の電線３が電池Ｅ１，Ｅ２およびブザーＢ１，Ｂ２に接続されている。したがって、火災が発生したとき、火災の熱によって周囲温度が上昇し、その温度が設定温度に達すると、火災の熱によって形状記憶合金体２が形状復元し、その半径が減少する。したがって、形状記憶合金体２によって対の電線３が締め付けられ、その導体が接触し、電流が電線３を通り、ブザーＢ１，Ｂ２に流れ、電流によってブザーＢ１，Ｂ２が鳴る。そして、この実施例では、接続端子Ｃ１，Ｃ２が各本体１に設けられ、電線３の先端に取り付けられ、火災センサＫ１，Ｋ２に接続されている。
【００１５】
２つに限らず、３つまたはそれ以上の本体１を互いに組み合わせ、接続電線Ｄによって各本体１の接続端子Ｃ１，Ｃ２を接続してもよい。
【００１６】
したがって、この装置の場合、接続電線Ｄを接続端子Ｃ１，Ｃ２から抜き取ることができ、本体１を接続電線Ｄから分離させ、随時随所に使用することができる。たとえば、火災が発生しやすい台所において、本体１を適所に載置するだけで、火災が発生したとき、ブザーＢ１，Ｂ２によって警報がなされ、火災に的確に対処することができる。本体１は掌よりも小さく、掌握することができる大きさであり、載置するとき、スペース上の問題はない。本体１を寝室に使用することもでき、屋外活動に利用することもできる。
【００１７】
なお、この装置の場合、形状記憶合金体２を対の電線３のまわりに巻き付けるだけでよく、火災センサＫを大幅にコンパクト化することができる。この結果、本体１が掌よりも小さく、掌握することができる大きさであっても、火災センサＫを本体１に設けることができ、火災警報装置を容易にポータブル化することができるものである。
【００１８】
さらに、接続電線Ｄによって各本体１の接続端子Ｃ１，Ｃ２を接続し、たとえば、一般家庭において、各本体１を離れた複数の場所に設置すると、火災が発生したとき、離れた複数の場所で警報がなされ、好ましい。さらに、いずれかの本体１の電池が切れても、他の本体１の電池によって電流を供給することができ、問題はない。
【００１９】
図３および図４に示すように、接続端子Ｃ１，Ｃ２を各本体１に取り付け、火災センサＫ１，Ｋ２に接続してもよい。
【００２０】
さらに、各実施例では、特開２０００−０２０８３５号公報の装置と同様、防犯スイッチＰ１，Ｐ２が各本体１に内蔵され、その電池Ｅ１，Ｅ２およびブザーＢ１，Ｂ２に接続されており、ピン４が各本体１に差し込まれ、その防犯スイッチＰ１，Ｐ２に係合する。したがって、ピン４が引き抜かれたとき、ピン４によって防犯スイッチＰ１，Ｐ２が動作し、電流が電池Ｅ１，Ｅ２から供給され、防犯スイッチＰ１，Ｐ２を通り、各本体１において、電流がブザーＢ１，Ｂ２に流れ、電流によってブザーＢ１，Ｂ２が鳴る。
【００２１】
ひも５をピン４に取り付け、ひも６を本体１に取り付けてもよい。この場合、本体１を接続電線Ｄから分離させ、たとえば、荷物を自転車の荷籠に入れるとき、ひも５を荷物に連結し、ひも６を車体に連結すると、荷物が盗られるとき、ひも５によってピン４が引っ張られ、引き抜かれる。そして、ピン４が引き抜かれたとき、ピン４によって防犯スイッチＰ１，Ｐ２が動作し、電流が電池Ｅ１，Ｅ２から供給され、防犯スイッチＰ１，Ｐ２を通り、ブザーＢ１，Ｂ２に流れ、電流によってブザーＢ１，Ｂ２が鳴る。
【００２２】
したがって、この装置は防犯警報装置であり、防犯機能をもつことは特開２０００−０２０８３５号公報の装置と同様である。しかも、防犯警報装置に防犯機能だけではなく、火災警報機能をもたせることができ、その実用的価値はきわめて大きい。
【００２３】
各実施例において、押しボタンスイッチを電池Ｅ１，Ｅ２およびブザーＢ１，Ｂ２に接続し、押しボタンスイッチが操作されたとき、電流が電池Ｅ１，Ｅ２から供給され、押しボタンスイッチを通り、各本体１において、電流がブザーＢ１，Ｂ２に流れ、電流によってブザーＢ１，Ｂ２が鳴るようにしてもよい。この場合、押しボタンおよびブザーＢ１，Ｂ２によって非常事態を警報することができる。
【００２４】
ブザーに代えてベルを使用することも考えられ、形状記憶合金体に代えて形状記憶樹脂体を使用することも考えられる。
【図面の簡単な説明】
【００２５】
【図１】この発明の実施例を示す正面図である。
【図２】図１の装置の電気回路図である。
【図３】他の実施例を示す側面図である。
【図４】図３の装置の電気回路図である。
【符号の説明】
【００２６】
１  本体
２  形状記憶合金体
３  電線
４  ピン
Ｅ１，Ｅ２  電池
Ｂ１，Ｂ２  ブザー
Ｋ１，Ｋ２  火災センサ
Ｃ１，Ｃ２  接続端子
Ｄ  接続電線
Ｐ１，Ｐ２  防犯スイッチ
【図１】
2007220094.tif 000003
【図２】
2007220094.tif 000004
【図３】
2007220094.tif 000005
【図４】
2007220094.tif 000006